(57)【要約】【課題】動物がテーブルの縁に足を掛けても、ひとの不快感をできるだけ回避することができるテーブルシステムを提供する。【解決手段】テーブルシステム１１は、矩形の輪郭線で区画される天板１２を有するテーブル１３と、少なくとも部分的に線形に規定される輪郭線で仕切られて天板１２の上面１２ａに重ねられる底板１５を有するトレイ１４とを備える。トレイ１４には、線形の輪郭線で底板１５から下向きに折り返されて、天板１２の側面１２ｂに重ねられる縦壁１８が形成される。【選択図】図１
0003220113.tif 000002
【実用新案登録請求の範囲】
【請求項１】
矩形の輪郭線で区画される天板を有するテーブルと、
少なくとも部分的に線形に規定される輪郭線で仕切られて天板の上面に重ねられる底板を有するトレイとを備え、
前記トレイには、線形の輪郭線で底板から下向きに折り返されて、天板の側面に重ねられる縦壁が形成される
ことを特徴とするテーブルシステム。
【請求項２】
少なくとも部分的に線形の輪郭線を有し、テーブルの天板の表面に重ねられる底板と、
線形の輪郭線で底板から下向きに折り返されて、テーブルの天板の側面に重ねられる縦壁と
を備えることを特徴とする動物用トレイ。
【請求項３】
請求項２に記載の動物用トレイにおいて、縦壁の下端から折り返されて、テーブルの天板の裏面に重ねられる拘束板をさらに備えることを特徴とする動物用トレイ。
【請求項４】
請求項２または３に記載の動物用トレイにおいて、底板の裏にはゴム板が固着されることを特徴とする動物用トレイ。
【考案の詳細な説明】
【技術分野】
【０００１】
本考案はテーブルに関する。
【背景技術】
【０００２】
特許文献１は給仕用のトレイ（盆）を開示する。トレイは、底板の周縁から立ち上がって底板を囲む囲いを備える。底板上に食器類は載せられる。囲いは、底板の周縁から食器類のこぼれ落ちを防止する。トレイは、食事の配膳にあたって利用されることができるだけでなく、食事後の後片付けで食器の運搬にあたって利用されることができる。
【先行技術文献】
【特許文献】
【０００３】
【特許文献１】特開２００８−２８９６４８号公報
【考案の概要】
【考案が解決しようとする課題】
【０００４】
例えば店内でひとの食事とペットの食事とを提供する飲食店は提案される。飼い主は、ペットの犬と同じテーブルで食事できることを喜ぶ。とはいえ、犬がテーブルの縁に足を掛けることをこころよく思わないひとたちもいる。こういったひとたちは、たとえ犬に対して愛着を感じるとしても、犬がテーブルに足を掛けて食事することに不快を感じるかもしれない。
【０００５】
本考案は、動物がテーブルの縁に足を掛けても、ひとの不快感をできるだけ回避することができるテーブルシステムを提供することを目的とする。
【課題を解決するための手段】
【０００６】
本考案の第１側面によれば、テーブルシステムは、矩形の輪郭線で区画される天板を有するテーブルと、少なくとも部分的に線形に規定される輪郭線で仕切られて天板の上面に重ねられる底板を有するトレイとを備える。このとき、トレイには、線形の輪郭線で底板から下向きに折り返されて、天板の側面に重ねられる縦壁が形成される。
【０００７】
トレイの底板上には動物用の食事が載せられることができる。トレイはテーブルの天板上に置かれる。天板の縁にトレイの線形の輪郭線は合わせ込まれる。そうすることでトレイの縦壁は天板の側面に重ねられる。動物はトレイ上に足を掛けて食事することができる。トレイは動物用のテーブルマットとして機能する。トレイは天板の側面を覆うので、動物の足はテーブルに全く接触しない。食事後、トレイはテーブルから取り外されるので、トレイは洗浄されることができる。テーブルには動物の足は接触しないので、天板上は清浄に維持されることができる。動物がテーブルの縁に足を掛けることをこころよく思わないひとであっても、動物の足が直接に天板の表面に接するわけではないので、不快を感じないで済む。
【０００８】
本考案の第２側面によれば、少なくとも部分的に線形の輪郭線を有し、テーブルの天板の表面に重ねられる底板と、線形の輪郭線で底板から下向きに折り返されて、テーブルの天板の側面に重ねられる縦壁とを備える動物用トレイは提供される。
【０００９】
底板上には動物用の食事が載せられることができる。底板はテーブルの天板に重ねられる。天板の縁に底板の線形の輪郭線は合わせ込まれる。そうすることでは天板の側面に重ねられる。動物は底板上に足を掛けて食事することができる。底板は動物用のテーブルマットとして機能する。縦壁は天板の側面を覆うので、動物の足はテーブルに全く接触しない。食事後、動物用トレイはテーブルから取り外されるので、動物用トレイは洗浄されることができる。テーブルには動物の足は接触しないので、天板上は清浄に維持されることができる。動物がテーブルの縁に足を掛けることをこころよく思わないひとであっても、動物の足が直接に天板の表面に接するわけではないので、不快を感じないで済む。
【００１０】
動物用トレイは、縦壁の下端から折り返されて、テーブルの天板の裏面に重ねられる拘束板をさらに備えてもよい。縦壁が天板の側面から遠ざかってしまった際に、天板の外側で底板に動物の足から踏力が加わっても、天板は底板および拘束板の間に嵌め込まれるので、底板の浮き上がりは防止されることができる。底板上の食器がひっくり返されることは防止されることができる。その一方で、縦壁が天板の側面から遠ざかってしまうと、天板の外側で底板に踏力が加わる際に、てこの原理で底板は天板の表面から浮き上がってしまい、浮き上がりに応じて底板上の食器がひっくり返ってしまう。
【００１１】
動物用トレイでは、底板の裏にはゴム板が固着されてもよい。ゴム板は天板の表面に沿って底板の変位を防止することができる。こうして天板の縁から底板がはみ出すことは防止されることができる。
【考案の効果】
【００１２】
以上のように開示の考案によれば、動物がテーブルの縁に足を掛けても、ひとの不快感をできるだけ回避することができるテーブルシステムは提供される。
【図面の簡単な説明】
【００１３】
【図１】本考案の一実施形態に係るテーブルシステムの構成を概略的に示す斜視図である。
【図２】テーブル上のトレイに足を掛けて食事する犬の様子を概略的に示す斜視図である。
【図３】テーブルおよびトレイの垂直断面図である。
【図４】他の実施形態に係るトレイの裏側を概略的に示す斜視図である。
【図５】さらに他の実施形態に係るトレイの垂直断面図である。
【考案を実施するための形態】
【００１４】
以下、添付図面を参照しつつ本考案の一実施形態を説明する。
【００１５】
図１は本考案の一実施形態に係るテーブルシステム１１の構成を概略的に示す。テーブルシステム１１は、天板１２を有するテーブル１３と、テーブル１３に組み合わせられて使用されるトレイ１４とを備える。天板１２は、矩形の輪郭線で区画され水平面内で広がる上面１２ａを有する。上面１２ａは床面ＦＬから規定の高さに配置される。上面１２ａの周縁には、垂直平面内で広がる４つの側面１２ｂが接続される。上面１２ａと側面１２ｂとの間に輪郭線の辺ごとに線形の稜線は規定される。天板１２の板厚に応じて側面１２ｂの高さは決定される。
【００１６】
トレイ１４は、少なくとも部分的に線形に規定される輪郭線で仕切られる底板１５を備える。底板１５は四角形の輪郭を有する平板で形成される。底板１５の４隅は面取りされて曲線を描いてもよい。底板１５は天板１２の上面１２ａに重ねられる。底板１５の１辺は天板１２の稜線に重ねられる。
【００１７】
底板１５の周縁には、輪郭線の３辺にわたって連続する周壁１６が形成される。周壁１６は、底板１５の周縁から一律の高さで立ち上がる。底板１５の輪郭の側辺（短辺）に対応して周壁１６には１対の把持用開口１７が形成される。使用者は把持用開口１７に親指以外の４指を挿入してトレイ１４を把持することができる。
【００１８】
トレイ１４には、輪郭線の残りの１辺で底板１５から下向きに折り返される縦壁１８が形成される。縦壁１８は天板１２の側面１２ｂに重ねられる。縦壁１８は、少なくとも天板１２の側面１２ｂを覆い隠す高さを有する。
【００１９】
テーブル１３にはチェア２１が組み合わせられる。チェア２１は、天板１２の高さよりも低い位置で水平面に沿って広がって、使用者の臀部を支持する座面２１ａと、座面２１ａの後縁から立ち上がって使用者の背中を支持する背もたれ２１ｂとを備える。座面２１ａには飼い主に隣り合わせて犬ＤＧが載ることができる。
【００２０】
図２に示されるように、トレイ１４の底板１５上には犬用の食事ＦＯＤが載せられることができる。トレイ１４はテーブル１３の天板１２上に置かれる。天板１２の縁にトレイ１４の線形の輪郭線は合わせ込まれる。そうすることでトレイ１４の縦壁１８は天板１２の側面１２ｂに重ねられる。
【００２１】
犬ＤＧはトレイ１４上に足ＰＷを掛けて食事することができる。トレイ１４は犬用のテーブルマットとして機能する。トレイ１４は天板１２の側面１２ｂを覆うので、犬ＤＧの足ＰＷはテーブル１３に全く接触しない。食事後、トレイ１４はテーブル１３から取り外されるので、トレイ１４は洗浄されることができる。テーブル１３には犬ＤＧの足ＰＷは接触しないので、天板１２上は清浄に維持されることができる。犬ＤＧがテーブル１３の縁に足ＰＷを掛けることをこころよく思わないひとであっても、犬ＤＧの足ＰＷが直接に天板１２の表面に接するわけではないので、不快を感じないで済む。
【００２２】
図３に示されるように、トレイ１４の縦壁１８は天板１２の側面１２ｂに重ねられるので、トレイ１４の底板１５は縦壁１８の厚みだけしか天板１２の縁から外側にはみ出さない。したがって、天板１２の外側で底板１５に犬ＤＧの足ＰＷから踏力が加わっても、底板１５の浮き上がりは防止されることができる。底板１５上の食器（食事ＦＯＤ）がひっくり返されることは防止されることができる。その一方で、縦壁１８が天板１２の側面１２ｂから遠ざかってしまうと、天板１２の外側で底板１５に踏力が加わる際に、てこの原理で底板１５は天板１２の表面から浮き上がってしまい、浮き上がりに応じて底板１５上の食器（食事ＦＯＤ）がひっくり返ってしまう。
【００２３】
図４に示されるように、底板の裏にはゴム板２２が固着されてもよい。ゴム板２２は天板１２の上面１２ａに密着する。ゴム板２２は天板１２の上面１２ａに沿って底板１５の変位を防止することができる。こうして天板１２の縁から底板１５がはみ出すことは防止されることができる。
【００２４】
図５に示されるように、トレイ１４は、縦壁１８の下端から折り返されて、天板１２の裏面に重ねられる拘束板２３をさらに備えてもよい。縦壁１８が天板１２の側面１２ｂから遠ざかってしまった際に、天板１２の外側で底板１５に犬ＤＧの足ＰＷから踏力が加わっても、天板１は底板１５および拘束板２３の間に嵌め込まれるので、底板１５の浮き上がりは防止されることができる。底板１５上の食器（食事ＦＯＤ）がひっくり返されることは防止されることができる。
【符号の説明】
【００２５】
１１…テーブルシステム、１２…天板、１２ａ…（天板の）上面、１２ｂ…（天板の）側面、１３…テーブル、１４…トレイ、１５…底板、１８…縦壁、２２…ゴム板、２３…拘束板。
【図１】
0003220113.tif 000003
【図２】
0003220113.tif 000004
【図３】
0003220113.tif 000005
【図４】
0003220113.tif 000006
【図５】
0003220113.tif 000007